(57)【要約】  【課題】  ケア作業中に人差し指等から外れても誤飲を生じず,短時間の内にケア作業を終われる指歯ブラシを容易に量産し、低コストを実現する。  【解決手段】  120g/m2 の木綿布に50g の塩化ナトリウムを保持させた繊維質基材を短冊状のシート１０とし、該短冊状シート１０の両端をそれぞれ内側に折り返し、前記折り返した部分１５の上下をミシンで縫製することにより人差し指挿入袋部２０と親指挿入袋部３０とを形成するようにした構成。なお、符号４０は縫製ラインを示す。【選択図】  図１
2009089981.tif 000002
【特許請求の範囲】
【請求項１】
短冊状シートの両端をそれぞれ内側に折り返し、前記折り返した部分の上下を縫製または接着することにより人差し指挿入袋部と親指挿入袋部を形成したことを特徴とする指歯ブラシの製造方法。
【請求項２】
繊維質基材からなるシートの両端をそれぞれ内側に折り返し、前記折り返した部分を縫製して人差し指挿入袋部と親指挿入袋部を備えたユニット行を複数連接してなる指歯ブラシ連接シートを形成し、さらに、前記指歯ブラシ連接シートを前記ユニット行ごとに切り離し可能にスリットまたはミシン目を所定間隔毎に複数配設したことを特徴とする指歯ブラシの製造方法。
【発明の詳細な説明】
【技術分野】
【０００１】
本発明は、歯や歯茎をマッサージする指(フィンガー)歯ブラシの製造方法に関する。
【背景技術】
【０００２】
従来、指歯ブラシとして不織布や織布、凹凸を備えた和紙などに無機塩や抗菌部材、液体歯磨き剤等を保有させたものが種々提案されている。指歯ブラシ、歯茎マッサージなどは乳児、寝たきりの老人・病人などに多用されている。また、健常者のたしなみ用具として、あるいは健康と美容のためにも利用されている。
【０００３】
少なくとも片面に摩擦面を形成した指サック部と、指サック部に連接して設けられた延長部と、延長部のほぼ中間領域に設けられたスリットまたは孔とを有していることを特徴とするフィンガー歯ブラシ。摩擦面が密封されて包装された当該フィンガー歯ブラシを複数個連接してなるフィンガー歯ブラシ包装体が特開２００１−２４５７２５号公報に提案されている。
【０００４】
さらに、布体（１）の両端に指掛かりを有し、第２指及び第３指と第１指との間に該指掛かりをもってこれを装着し、突き出された舌上面に該布体を介した第２指と第３指を当て、舌体裏面側に該布体を介した第１指を当てて包含した舌先部付近に折り曲げられた第４指を沿えて補捉した舌を固定しながら該指先の操作により舌表面に着成する舌苔を拭い去る様に使用する、少なくとも拭き取り面はタオル布地であることを特徴とした舌苔除去布が特開２００３−１０２５４９号公報に提案されている。
【特許文献１】特開２００１−２４５７２５号公報
【特許文献２】特開特開２００３−１０２５４９号公報
【発明の開示】
【発明が解決しようとする課題】
【０００５】
しかし特許文献１におけるフィンガー歯ブラシは、１本の指に装着されるためケア作業中に依然として指から抜け易い。また、歯をつまんで歯の両面を同時に擦ることができない。特許文献２における舌苔除去布は、第２指と第３指を指掛かりに挿入しているため外形が大きく,太くなり奥歯や奥歯付近の歯茎をブラッシングしにくい。
さらに、特許文献２は布体（１）に別の布を重ねて指掛かりを構成しており、作業工数とコストが高くなる恐れがあった。
【０００６】
本発明は人差し指に装着した指歯ブラシがケア作業中に指から外れても誤飲を生じないようにすることを目的とする。また、歯、歯茎等の両面を同時に擦れるようにし、短時間の内にケア作業を終われることを目的とする。さらに、指歯ブラシの量産が容易で低コストを実現することを目的とする。
【課題を解決するための手段】
【０００７】
本発明にかかる指歯ブラシの製造方法は、繊維質基材からなる短冊状シートの両端をそれぞれ内側に折り返し、前記折り返した部分の上下を縫製または接着することにより人差し指挿入袋部と親指挿入袋部を形成したことを特徴としたもので、人差し指または親指のどちらかの袋部が指から外れても誤飲することがない。また、歯を人差し指と親指とで挟持できるので強い力でこすることができ汚れ等がよく落ちる。さらに、歯の表面と裏面を同時に擦れるのでケア作業を短縮できる。さらに、一枚の布を簡単かつ短時間にミシン掛けして作れる。
【０００８】
さらに本発明にかかる指歯ブラシの製造方法は、繊維質基材からなるシートの両端をそれぞれ内側に折り返し、前記折り返した部分を縫製して人差し指挿入袋部と親指挿入袋部を備えたユニット行を複数連接してなる指歯ブラシ連接シートを形成し、さらに、前記指歯ブラシ連接シートを前記ユニット行ごとに切り離し可能にスリットまたはミシン目を所定間隔毎に複数配設したことを特徴としたもので、量産が容易で低コストを実現できる。
【発明の効果】
【０００９】
上記構成により本発明の指歯ブラシの製造法本発明は、製造工程が極めて簡単となり、量産が容易でコストも低く抑えられる。また、密封包装してかさばらずに携帯可能である。
【発明を実施するための最良の形態】
【００１０】
本発明にかかる指歯ブラシの製造方法は上述の通りである。指歯ブラシを構成するシート部材は一般に使用される任意の部材としてよい。例えば麻、綿、フェルト、合成繊維等を織った生地、不織布、凹凸を有する紙、和紙などを用いればよい。ハンケチや包帯などを構成するガーゼ布地、タオル布地は特に好ましい。
【００１１】
さらに、指挿入袋部を構成するには、短冊状シートの端部を折り返し、該折り返した部分の上下を縫製または接合するのが好ましい。接合は接着剤、両面粘着シートなどを用いればよい。さらに、繊維質基材からなるシートの両端をそれぞれ内側に折り返し、前記折り返した部分を縫製して人差し指挿入袋部と親指挿入袋部を備えたユニット行を複数連接してなる指歯ブラシ連接シートを形成し、さらに、前記指歯ブラシ連接シートを前記ユニット行ごとに切り離し可能にスリットまたはミシン目を所定間隔毎に複数配設した構成とするのが好ましい。
【００１２】
なお、指の腹側に位置する前記シートの擦り面側に摩擦係数を大きくする部材、例えばブラシを植毛したり、網状部材等を重ねて配設してよいことは自明である。
さらに、指歯ブラシ連接シートを一行ごとに切り離し可能にスリットまたはミシン目を所定間隔毎に複数配設する手段としては、レーザー加工またはトムソン刃加工等を用いればよい。
【００１３】
さらに、本発明にかかる指歯ブラシは、前記指歯ブラシ連接シートに無機塩、抗菌部材、液体歯磨き剤の内、少なくとも一つを保有させることによりマッサージの摩擦効果に加えて無機塩の清浄効果や殺菌作用、抗菌作用、虫歯防止、口臭の消滅、健康増進などを図れる。
【００１４】
前記シートに保有させる無機塩としては、天然海水塩、鉱物塩又は精製食塩が代表的なものであるが、これに限られるものではない。機能的には塩化カリウム、硫酸ナトリウム、塩化マグネシウム、炭酸ナトリウム、炭酸水素ナトリウム等を用いても塩と同等の効果をあげることができる。これら無機塩の中では、天然又は鉱物塩が取り扱い容易で、最も入手しやすい安価な材料であるから自然塩を用いるのが、効率的、且つ経済的である。さらに、この塩としては粗塩、すなわち、未精製の塩が好適である。
【００１５】
前記シートに保有させる抗菌部材としてはハイドロキシアパタイト、チオサルファイト銀錯体、あるいはアミガサタケ、キクラゲ、ナメコ、ブクリョウ、ブナシメジ、ヤマブシタケ、等からなる群より選択される１種又は２種以上の子嚢菌類又は担子菌類の水及び／又は有機溶媒抽出物を有効成分としたもの、あるいはオオバギ抽出物、好ましくはオオバギの有機溶媒抽出物を有効成分としたもの、あるいは塩化セチルピリジニウム、クロルヘキシジン塩、ヘキセチジン、塩化デカリニウム、塩化ベンザルコニウム、塩化ベンゼトニウムからなる群より選択される１種または２種以上の抗菌剤等の内、一つを選択するのが好ましい。
【００１６】
前記シートに保有させる液状歯磨剤としてはグルコサミンの数の平均値が２〜４，５００の範囲であるキトサンの一種若しくは二種以上が配合されているもの、あるいはエタノールおよび難水溶性香料を含む口腔用組成物においてエタノールを１．５(w/v)％以下配合したもの、あるいはさらに塩化セチルピリジニウム０．０１から０．１(w/v)％配合することを特徴とする液体口腔用組成物、さらにはセラック及び０．１ｍｇ／リットル以上１０ｍｇ／リットル未満の色素を配合し、変色防止成分としてエデト酸塩、フィンチン酸塩、ポリリン酸塩等からなるキレート剤を含有する液体口腔用組成物の内、一つを選択するのが好ましい。
【実施例１】
【００１７】
以下、本発明の指歯ブラシの製造方法を図面とともに説明する。図１は本発明の一実施例方法により製作した指歯ブラシの平面図、図２は図１の指歯ブラシを製造するためシートの両端を内側に折り曲げた状態の斜視図、図３は本発明のもう一つの実施例方法により製作した指歯ブラシ連接シートの平面図を示す。
【００１８】
図1、図２に示す指歯ブラシ１００は、120g/m2 の木綿布に50g の塩化ナトリウムを保持させた繊維質基材を短冊状のシート１０とし、該シート１０の両端をそれぞれ内側に折り返し、前記折り返した部分１５の上下をミシンで縫製することにより人差し指挿入袋部２０と親指挿入袋部３０とを形成したことを特徴とする。なお、符号４０は縫製ラインを示す。図１に記載した寸法は一実施例寸法であって、人差し指と親指を挿入し略U字形に指の腹側を被覆できる。
【実施例２】
【００１９】
本発明のもう一つの実施例における指歯ブラシは、104g/m2 のポリアミド不織布に25ｇの塩化カリウムと25ｇの炭酸アンモニウムを保有させた繊維質基材をシートとし、該短冊状シートの両端をそれぞれ内側に折り返し、前記折り返した部分の上下をミシンで縫製することにより人差し指挿入袋部と親指挿入袋部とを形成したことを特徴とする。形状及び構成手順は図1、図２の場合と同様である。
【実施例３】
【００２０】
直鎖状低密度ポリエチレン：低密度ポリエチレン＝７：３で厚さ３０μｍのラミネート不織布をシートとし、該短冊状シートの両端をそれぞれ内側に折り返し、前記折り返した部分の上下をミシンで縫製することにより人差し指挿入袋部と親指挿入袋部とを形成したことを特徴とする。形状及び構成手順は図1、図２の場合と同様である。
【実施例４】
【００２１】
図３に示す指歯ブラシ連接シート２００は、120g/m2 の木綿布に50g の塩化ナトリウムを保持させた繊維質基材をシート２１０とし、該シート２１０の両端をそれぞれ折り返し、前記折り返した部分をミシンで縫製することにより人差し指挿入袋部２２０と親指挿入袋部２３０とを備えたユニット行１５０を連接状に配設したことを特徴とする。符号２４０は縫製ラインを示す。
この場合の指歯ブラシ連接シート２００は切り離し用のミシン目２５０を３本入れることにより図１に示した指歯ブラシ１００を連接状に４個得ることができる。なお、連接する指歯ブラシの数を任意に設定してよいことは自明である。
【００２２】
上記構成により本発明の指歯ブラシの製造方法は、製造工程が極めて簡単となり、量産が容易でコストも低く抑えられる。また、密封包装してかさばらずに携帯可能である。本発明にかかる指歯ブラシがケア作業中に人差し指等から外れても誤飲を生じない。また、歯と歯茎の両面を同時に擦れ短時間の内にケア作業を終われる。
【００２３】
なお、上記実施例において繊維質基材からなるシートを所望の形状に縫製または接合したのち、無機塩等を保有させるようにしてよいことは自明である。また、完成した指歯ブラシを樹脂フィルムや空気を通さない紙等で密封包装してよいことも自明である。
【産業上の利用可能性】
【００２４】
本発明は歯や歯茎のブラッシングに用いる指歯ブラシの製造方法のほかに、舌苔の除去部材の製造方法、耳、鼻、足指など体の一部分を清潔に保持する部材、または足指など体の一部分を汚物や細菌に犯されずに挟持する保持部材の製造方法として利用できる。
【図面の簡単な説明】
【００２５】
【図１】本発明の一実施例方法により製作した指歯ブラシの平面図
【図２】図１を形成するためシートの両端を内側に折り曲げた状態の斜視図
【図３】本発明の一実施例方法により製作した指歯ブラシ連接シートの平面図
【符号の説明】
【００２６】
１０、２１０  シート
１５  折り返した部分
２０、２２０  人差し指挿入袋部
３０、２３０  親指挿入袋部
４０、２４０  縫製ライン
１００  指歯ブラシ
１５０  ユニット行
２００  指歯ブラシ連接シート
２５０  ミシン目
【図１】
2009089981.tif 000003
【図２】
2009089981.tif 000004
【図３】
2009089981.tif 000005